(57)【要約】【課題】光伝送路と接続するための光コネクタに関し、特に、小さい力で挿入／抜去を行うことができる光コネクタを提供することを目的とする。【解決手段】本発明は、光コネクタであって、導波路と、導波路の端面に配置されたレンズとを有する導波路部材を用いて構成したことを特徴とする。【選択図】図１
2008040264.tif 000002
【特許請求の範囲】
【請求項１】
光コネクタにおいて、
導波路と、前記導波路の端面に配置されたレンズとを有する導波路部材を有することを特徴とする光コネクタ。
【請求項２】
前記導波路部材を収納するとともに、他の光コネクタを係合する筐体を有することを特徴とする請求項１記載の光コネクタ。
【請求項３】
前記導波路部材が前記筐体内に複数収納されており、他の光コネクタと係合する係合部を有することを特徴とする請求項１記載の光コネクタ。
【請求項４】
前記導波路部材は、前記導波路及び前記レンズが複数搭載されていることを特徴とする請求項１記載の光コネクタ。
【請求項５】
前記導波路部材は、前記導波路の一端面と他端面とで角度が異なるように前記導波路が形成されていることを特徴とする請求項１記載の光コネクタ。
【請求項６】
前記導波路部材を固着する基板と、
前記基板の前記レンズに対向する位置に搭載され、光電変換を行う光電変換素子とを有することを特徴とする請求項１記載の光コネクタ。
【請求項７】
前記導波路部材は、前記導波路が複数本、形成され、
前記レンズは、各々の端面形成されていることを特徴とする請求項１記載の光コネクタ。
【請求項８】
前記導波路部材を複数配列したことを特徴とする請求項１記載の光コネクタ。
【請求項９】
前記導波路部材は、第１の屈折率の透明樹脂部材に前記導波路の経路に沿って溝を形成し、前記溝に第２の屈折率の透明樹脂を封入し、樹脂フィルムで閉蓋することにより、前記導波路を形成したことを特徴とする請求項１記載の光コネクタ。
【請求項１０】
前記導波路部材は、前記導波路の一端面に配置された前記レンズに対向して光伝送路が接続され、
前記導波路の他端面に配置されたレンズに対向して光電変換素子が配置されることを特徴とする請求項１記載の光コネクタ。
【請求項１１】
前記導波路部材は、前記導波路の両端面に配置された前記レンズに対向して光伝送路が接続されることを特徴とする請求項１記載の光コネクタ。
【請求項１２】
前記光伝送路の端面が前記レンズの焦点距離に応じた距離に前記光伝送路を位置決めする係合部を有することを特徴とする請求項１０又は１１に記載の光コネクタ。
【請求項１３】
前記導波路部材は、前記レンズの焦点距離に応じた距離に前記光電変換素子が位置するように位置決めする凸部を有することを特徴とする請求項１０記載の光コネクタ。
【請求項１４】
前記導波路部材は、前記レンズが一体に形成されていることを特徴とする請求項１記載の光コネクタ。
【発明の詳細な説明】
【技術分野】
【０００１】
本発明は光コネクタに係り、特に、光伝送路と接続するための光コネクタに関する。
【背景技術】
【０００２】
近年、光通信の発達に伴って、通信容量も増大している。通信容量の増大に伴って光コネクタの多芯化が望まれている。
【０００３】
従来の光コネクタは、光伝送路をフィジカルコンタクトによって結合していた。このとき、光伝送路の結合部分での損失を低減するために、光ファイバの周囲を取り巻くフェルール同士は通常１０Ｎ程度で押しつけ合う必要があった。
【発明の開示】
【発明が解決しようとする課題】
【０００４】
しかるに、従来の光コネクタは、光伝送路をフィジカルコンタクトによって結合していたため、フェルール同士を押しつける力を大きくする必要があり、よって、挿入／抜去力が大きくなり、挿入／抜去を容易に行えないなどの問題があった。
【０００５】
特に、多芯化した場合、光伝送路を保持するプラグフレームが大きくなり、均一に押圧できなくなる。このため、すべての光伝送路で少なくとも１０Ｎ程度の押しつけ力を得ようとすると、更に大きな押しつけ力が必要となる。
【０００６】
本発明は上記の点に鑑みてなされたもので、小さい力で挿入／抜去を行うことができる光コネクタを提供することを目的とする。
【課題を解決するための手段】
【０００７】
本発明の光コネクタは、導波路が形成された導波路部材と、導波路部材の導波路の端面に配置されたレンズとを有することを特徴とする。
【０００８】
本発明は、導波路部材を収納するとともに、他の光コネクタを係合する筐体を有することを特徴とする。
【０００９】
本発明は、導波路部材が筐体内に複数収納されており、他の光コネクタと係合する係合部を有することを特徴とする。
【００１０】
本発明は、導波路部材に導波路及びレンズが複数搭載されていることを特徴とする。
【００１１】
本発明の導波路部材は、導波路の一端面と他端面とで角度が異なるように導波路が形成されていることを特徴とする。
【００１２】
本発明は、導波路部材を固着する基板と、基板のレンズに対向する位置に搭載され、光電変換を行う光電変換素子とを有することを特徴とする。
【００１３】
本発明の導波路部材は、前記導波路が複数本、形成され、レンズは、各々の端面形成されていることを特徴とする。
【００１４】
本発明は、導波路部材を複数配列したことを特徴とする。
【００１５】
本発明の導波路部材は、第１の屈折率の透明樹脂部材に導波路の経路に沿って溝を形成し、溝に第２の屈折率の透明樹脂を封入し、樹脂フィルムで閉蓋することにより、導波路を形成したことを特徴とする。
【００１６】
本発明の導波路部材は、導波路の一端面に配置されたレンズに対向して光伝送路が接続され、導波路の他端面に配置されたレンズに対向して光電変換素子が配置されることを特徴とする。
【００１７】
本発明の導波路部材は、導波路の両端面に配置されたレンズに対向して光伝送路が接続されることを特徴とする。
【００１８】
本発明は、光伝送路の端面がレンズの焦点距離に応じた距離に前記光伝送路を位置決めする係合部を有することを特徴とする。
【００１９】
本発明の導波路部材は、レンズの焦点距離に応じた距離に光電変換素子が位置するように位置決めする凸部を有することを特徴とする。
【００２０】
本発明の導波路部材は、レンズが一体に形成されていることを特徴とする。
【発明の効果】
【００２１】
本発明によれば、導波路と、導波路の端面に配置されたレンズとを有する導波路部材を用いて光コネクタを構成することにより、光伝送路の端面を圧着する必要がなくなるので、挿抜力が小さくて済み、よって、挿抜を容易に行えるとともに、簡単な構成で光コネクタを構成することができる。特に、光伝送路を多芯化した際の挿抜性を向上させることが可能となる。さらに、レンズによって、光伝送路とやり取りする光を集束させることにより光の損失を低減でき、効率よく光通信を行える。
【発明を実施するための最良の形態】
【００２２】
〔第１実施例〕
図１は本発明の第１実施例の斜視図、図２は光ソケットコネクタ１００の分解斜視図を示す。
【００２３】
本実施例の光ソケットコネクタ１００は、回路基板１０１に搭載されており、光プラグコネクタ２００が装着される。光ソケットコネクタ１００は、複数の導波路アレイ１１１を回路基板１０１に樹脂によって固着した後、筐体１１２で覆った構成とされている。筐体１１２は、ねじ１１３によって回路基板１０１に固定されている。
【００２４】
筐体１１２には、前面にガイド部１２１及びねじ孔１２２が形成されている。ガイド部１２１には、光プラグコネクタ２００が係合し、光プラグコネクタ２００の光ファイバの端面を複数の導波路アレイ１１１の入出力面にガイドする。
【００２５】
ここで、導波路アレイ１１１について説明する。
【００２６】
図３は導波路アレイ１１１の斜視図、図４は導波路アレイ１１１の構成図を示す。
【００２７】
導波路アレイ１１１は、導波路アレイ本体１３１に複数の導波路１３２を形成した構成とされている。複数の導波路１３２は、一端面と他端面とが直交するように湾曲している。
【００２８】
導波路アレイ本体１３１は、透明樹脂をモールド成形したものであり、表面に導波路１３２を形成するための溝部１４１が形成されているとともに、溝部１４１の端面の延長上にレンズ１４２、１４３が形成された構成とされている。
【００２９】
導波路本体１３１は、底面側、矢印Ｚ１方向側が開口部とされた略凹状の形状とされており、その上面側、矢印Ｚ２方向側の面は略円筒面形状に形成されている。溝部１４１は、導波路本体１３１の上面側曲面上に形成されている。上面側曲面の形状は、略円柱面状に湾曲しており、その曲率は導波路１３２を形成したときに、光が外部に漏れない曲率に設定されている。
【００３０】
導波路１３２は、導波路アレイ本体１３１の溝部１４１に導波路アレイ本体１３１とは屈折率の異なる樹脂を封入し、硬化させ、導波路アレイ本体１３１を導波路アレイ本体１３１と略同じ屈折率の樹脂フィルム１４４により被覆することによって形成されている。
【００３１】
導波路１３２は、各々一端面が回路基板１０１に直交する方向、矢印Ｚ１方向側を向くように形成されており、他端面が回路基板１０１に平行な方向、矢印Ｘ２方向に向くように形成されている。なお、溝部１４１は断面形状が略５０μｍ角程度の正方形状に形成されている。なお、溝部１４１の断面形状が略５０μｍ角の場合はマルチモードの場合であり、シングルモードの場合は略１０μｍ角程度となる。
【００３２】
導波路アレイ本体１３１の底面の周縁部には、凸部１４５が３点にわたって形成されている。なお、凸部１４５は、半球状に形成されている。凸部１４５は導波路アレイ１１１を回路基板１０１に搭載するときに回路基板１０１の表面に当接する。導波路アレイ１１１は３つの半球状の凸部１４５が回路基板１１２に当接することによって、導波路アレイ１１１と回路基板１０１との接触面積を最小限に留めることができる。これによって、導波路アレイ１１１を回路基板１０１に対してスムーズに摺動させることができる。導波路アレイ１１１を回路基板１０１に容易に位置決めできる。また、導波路アレイ本体１３１には、前方、矢印Ｘ１方向に突出して鍔部１４６が形成されている。
【００３３】
次に導波路アレイ１１１の回路基板１０１への取付について説明する。
【００３４】
図５は導波路アレイ１１１の回路基板１０１への取付構造を説明するための図を示す。
【００３５】
凸部１４５によって、導波路アレイ１１１を回路基板１０１に搭載した際に、回路基板１０１と導波路アレイ本体１３１及び鍔部１４６の底面との間に所定の間隙が生じる。この間隙に封止樹脂が封入される。このとき、回路基板１０１の導波路アレイ本体１３１及び鍔部１４６の下部には、ドライバＩＣ１５１、発光素子１５２、受光素子１５３、レシーバＩＣ１５４などが搭載される。
【００３６】
また、導波路本体１３１の底面の導波路１３２の延長上にはレンズ１４２が形成されている。レンズ１４２は、その表面形状が球面状をなし、発光素子１５２及び受光素子１５３に対向するように配置されている。レンズ１４２は、発光素子１５２から発光した光を集光して、導波路１３２の端面に入射させるとともに、導波路１３２の端面から出射された光を受光素子１５３に集光させる。
【００３７】
なお、凸部１４５によりレンズ１４２と発光素子１５２、受光素子１５３との距離をレンズ１４２の焦点距離に応じた距離に設定される。なお、焦点距離は、導波路アレイ１１１の屈折率及びレンズ１４２の曲率などに応じて設定することができる。
【００３８】
さらに、導波路本体１３１の矢印Ｘ２方向側の側面の導波路１３２の延長上にはレンズ１４３が形成されている。レンズ１４３には、光プラグコネクタ２００の光伝送路の端面が対向して配置される。
【００３９】
図６は光ソケットコネクタ１００と光プラグコネクタ２００との位置決め構造を説明するための図である。
【００４０】
導波路本体１３１の矢印Ｘ２方向側の側面には、レンズ１４３の側部に孔部１４７が形成されている。孔部１４７には光プラグコネクタ２００の光伝送路の端部に設けられたピン１４８が係合して、光プラグコネクタ２００の光伝送路の端面とレンズ１４３とが対向するように位置決めが行われる。
【００４１】
レンズ１４３は、その表面形状が球面状をなし、導波路１３２の端面から出射した光を光プラグコネクタ２００の光伝送路の端面に集光させるとともに、光プラグコネクタ２００の光伝送路の端面から出射された光を導波路１３２の端面に集光させる。このとき、レンズ１４３と光プラグコネクタ２００の光伝送路の端面とはレンズ１４３の焦点距離に応じた所定の間隔に保持される。なお、焦点距離は導波路アレイ１１１の屈折率及びレンズ１４３の曲率などにより設定される。
【００４２】
導波路アレイ１１１を用いることにより光プラグコネクタ２００を導波路アレイ１１１に圧着することなく、光の拡散、減衰を防止でき、効率よく光通信を行うことができる。
【００４３】
以上、導波路アレイ１１１によって光伝送路からの光を回路基板１０１に導入するとともに、回路基板１０１からの光を光プラグコネクタ２００の光伝送路に導入することができる。
【００４４】
次に光プラグコネクタ２００について説明する
図７は光プラグコネクタ２００の分解斜視図を示す。
【００４５】
光プラグコネクタ２００は、プラグフレーム２１１に多芯ファイバケーブル２１０の先端に取り付けられたプラグコネクタ２１２を複数、一体に保持した構成とされている。なお、プラグコネクタ２１２は、例えば、ＭＰＯコネクタである。
【００４６】
プラグフレーム２１１は、フレーム半体２２１、２２２から構成されている。フレーム半体２２１、２２２には、プラグコネクタ２１２に係合する係合部２２３が形成されている。
【００４７】
フレーム半体２２１は、ねじ２２４によりフレーム半体２２２に取り付けられる。このとき、プラグコネクタ２１２を係合部２２３に係合させて、フレーム半体２２１をねじ２２４によりフレーム半体２２２に固定することによって、プラグコネクタ２１２がプラグフレーム２１１に固定される。これによって、複数の多芯ファイバケーブル２１０が一体化される。このとき、プラグコネクタ２１２は、その先端がプラグフレーム２１１から光ソケットコネクタ１００に対向する方向に延出して固定される。
【００４８】
また、フレーム半体２２１、２２２の両側端部には、ねじ保持部２２６が形成されている。ねじ保持部２２６にねじ２２７を載置して、フレーム半体２２１をねじ２２４によりフレーム半体２２２に固定することによって、ねじ保持部２２６にねじ２２７が保持される。ねじ２２７は、プラグフレーム２２１に矢印θ方向に回転自在に保持される。また、ねじ２２７は、その先端が光プラグコネクタ２００と同様に、光ソケットコネクタ１００に対向する方向に延出して保持されている。
【００４９】
光プラグコネクタ２００のプラグコネクタ２１２は、光ソケットコネクタ１００の筐体１１２の前面に設けられたガイド部１２１に装着される。光プラグコネクタ２００の各プラグコネクタ２１２を光ソケットコネクタ１００にガイド部１２１に装着することにより、ねじ２２７の先端が光ソケットコネクタ１００のねじ孔１２２に対向する。ここで、ねじ２２７をねじ孔１２２に螺入することによって、光プラグコネクタ２００が光ソケットコネクタ１００に固定される。
【００５０】
本実施例によれば、光ソケットコネクタ１００の導波路アレイ１１１に光プラグコネクタ２００のプラグコネクタ２１２を圧着する必要はない、よって、ねじ２２７による締め付け力を小さくすることができる。よって、光ソケットコネクタ１００と光プラグコネクタ２００との挿抜力を小さく設定できるため、光ソケットコネクタ１００と光プラグコネクタ２００との挿抜を容易に行える。
【００５１】
また、筐体強度を低減させることができるため、筐体を樹脂などにより形成でき、よって、安価に製造することが可能となるとともに、軽量化が可能となる。
【００５２】
以上により、図１に示すように多芯光コネクタを連結した光コネクタに適用して好適となる。
【００５３】
なお、本実施例では、導波路アレイ１１１への光の入射方向と出射方向との角度を直交するようにしているが、光の入射方向と出射方向との角度は導波路アレイ１１１の入射面と出射面の角度を調整することにより、自由に設定できることは言うまでもない。
〔第２実施例〕
図８は本発明の第２実施例の斜視図を示す。同図中、図１と同一構成部分には同一符号を付し、その説明は省略する。
【００５４】
本実施例は、回路基板１０２に光プラグコネクタ３００を直接設け、回路基板１０１と回路基板１０２とを直接的に接続する構成とされている。
【００５５】
図９は光プラグコネクタ３００の分解斜視図を示す。
【００５６】
本実施例の光プラグコネクタ３００は、導波路アレイ３１１、係合部３１２、筐体３１３、ねじ３１４、３１５から構成されている。
【００５７】
図１０は導波路アレイ３１１の斜視図を示す、同図中、図３と同一構成部分には同一符号を付し、その説明は省略する。
【００５８】
本実施例の導波路アレイ３１１は、導波路１３２の矢印Ｘ２方向端部が矢印Ｘ２方向に延長された構成とされており、第１実施例の導波路アレイ１１１が回路基板１０１に搭載されるのと同様に、回路基板１０２に搭載されている。
【００５９】
筐体３１３は、筐体半体３１３ａ、３１３ｂから構成されている。筐体半体３１３ａ、３１３ｂには、係合部３２１、３２２が形成されている。
【００６０】
係合部３２１には、導波路アレイ３１１及びプラグフレーム３１２が係合する。プラグフレーム３１２は、導波路アレイ３１１の矢印Ｘ２方向の端部にプラグフレーム３１２取り付けられて、係合部３２１に係合する。また、係合部３２２には、ねじ３１４が係合する。
【００６１】
筐体半体３１３ａ、３１３ｂは、ねじ３１５により固定される。筐体半体３１３ａ、３１３ｂがねじ３１５により固定されることにより係合部３２１に導波路アレイ３１１及びプラグフレーム３１２が保持され、係合部３２２にねじ３１４が回転自在に保持される。
【００６２】
このとき、プラグフレーム３１２は、筐体３１３から前面、光ソケットコネクタ１００に対向する面から突出して固定される。ねじ３１４は、筐体３１３から前面、光ソケットコネクタ１００に対向する面から突出して保持される。
【００６３】
図１１は光プラグコネクタ３００を光ソケットコネクタ１００に装着したときの断面図を示す。
【００６４】
図１１に示すように光プラグコネクタ３００を光ソケットコネクタ１００に装着することにより導波路アレイ３１１と導波路アレイ１１１との互いに対向するレンズ１４３とがレンズ１４３の焦点距離に応じた所定の間隔に保持される。なお、焦点距離は導波路アレイ１１１、３１１の屈折率及び互いに対向するレンズ１４３の曲率などにより設定される。
【００６５】
本実施例によれば、回路基板１０１と回路基板１０２とを光通信方式により光ファイバなどを介在させることなく直接的に接続することが可能となる。
【００６６】
〔第３実施例〕
図１２は本発明の第３実施例の斜視図、図１３は光コネクタ４００の分解斜視図を示す。同図中、図８と同一構成部分には同一符号を付し、その説明は省略する。
【００６７】
本実施例の光コネクタ４００は、回路基板１０１に搭載された光ソケットコネクタ１００と回路基板１０２に搭載された光ソケットコネクタ１００とを相互に接続するためのアダプタである。光コネクタ４００は、複数の導波路アレイ４１１及び、複数のプラグフレーム４１２、筐体半体４１３、４１４から構成されている。
【００６８】
図１４は導波路アレイ４１１の斜視図を示す。
【００６９】
導波路アレイ４１１は、導波路アレイ本体４２１に複数の導波路４２２を形成した構成とされている。導波路アレイ本体４１１は、透明樹脂をモールド成形したものであり、表面に導波路４２２を形成するための溝部４２３が形成されているとともに、溝部４２３の端面の延長上にレンズ４２４が形成された構成とされている。
【００７０】
導波路４２２は、導波路アレイ本体４１１の溝部４２３に導波路アレイ本体４１１とは屈折率の異なる樹脂を封入し、硬化させ、導波路アレイ本体４１１を導波路アレイ本体４１１と略同じ屈折率の樹脂フィルム４２６により被覆することによって形成されている。
【００７１】
導波路４２２は、矢印Ｘ１、Ｘ２方向に直線状に形成されている。なお、溝部４２３は断面形状がマルチモードの場合略５０μｍ角程度、シングルモードの場合略１０μｍ程度の正方形状に形成される。
【００７２】
導波路アレイ４１１の両端には、プラグフレーム４１２が装着される、プラグフレーム４１２が装着された導波路アレイ４１１は、筐体半体４１３、４１４に形成された複数の係合部４１５の各々に係合される。複数の係合部４１５に、導波路アレイ４１１、プラグフレーム４１２が装着した後、筐体半体４１３，４１４をねじ４１６により固定する。
【００７３】
図１５は光プラグコネクタ４００を光ソケットコネクタ１００に装着したときの断面図を示す。
【００７４】
図１５に示すように光プラグコネクタ４００を回路基板１０１の光ソケットコネクタ１００と回路基板１０２の光ソケットコネクタ１００との間に装着することにより導波路アレイ４１１のレンズ４２４と導波路アレイ１１１のレンズ１４３が焦点距離に応じた所定の間隔に保持される。
【００７５】
本実施例によれば、光ソケットコネクタ１００が搭載された回路基板１０１と光ソケットコネクタ１００が搭載された回路基板１０２とを相互に接続することができる。
【００７６】
〔第４実施例〕
図１６は本発明の第４実施例の断面図を示す。
【００７７】
本実施例の光コネクタ５００は、光を直交する方向に折曲させる、いわゆる、ライトアングル型のアダプタであり、導波路アレイ５１１、ソケット５１２、筐体５１３から構成されている。
【００７８】
図１７は導波路アレイ５１１の斜視図を示す。
【００７９】
導波路アレイ５１１は、導波路本体５２１に複数の導波路５２２及びレンズ５２３を形成した構成とされている。
【００８０】
導波路アレイ本体５２１は、透明樹脂をモールド成形したものであり、表面に導波路５２２を形成するための複数の溝部５３１が形成されているとともに、溝部５３１の端面の延長上にレンズ５２３が一体形成された構成とされている。
【００８１】
導波路本体５２１は、底面側、矢印Ｚ１方向側が開口部とされた略凹状の形状とされており、その上面側、矢印Ｚ２方向側の面は略円筒面形状に形成されている。溝部５３１は、導波路本体５２１の上面側曲面上に形成されている。上面側曲面の形状は、略円柱面状とされており、その曲率は導波路５２２を形成したときに、光が外部に漏れない曲率に設定されている。
【００８２】
導波路５２２は、導波路アレイ本体５２１の溝部５３１に導波路アレイ本体５２１とは屈折率の異なる樹脂を封入し、硬化させ、導波路アレイ本体５２１を導波路アレイ本体５２１と略同じ屈折率の樹脂フィルム５４１により被覆することによって形成されている。
【００８３】
導波路５２２は、各々一端面が矢印Ｚ１方向側を向くように形成されており、他端面が矢印Ｘ２方向に向くように形成されている。なお、溝部５３１は断面形状が略５０μｍ角程度の正方形状に形成されている。
【００８４】
図１６に示すようにプラグコネクタ６００は、光ファイバケーブル６０１の一端に設けられており、光コネクタ５００のソケット５１２に装着される。プラグコネクタ６００を光コネクタ５００の一端のソケット５１２に装着することにより光ファイバケーブル６０１の端面が導波路アレイ本体５２１に形成されたレンズ５２３に対向するように位置決めされる。
【００８５】
光ファイバケーブル６０１から入射された光は、レンズ５２３で集束されて、導波路５２２の一端に導入される。導波路５２２に導入された光は、導波路５２２の他端から出射する。導波路５２２の他端から出射した光は、レンズ５２３で集束されて、光コネクタ５００の他端のソケット５１２にプラグコネクタ６００が装着された光ファイバケーブル６０１の端面に入射する。
【００８６】
このように、本実施例によれば、光伝送路においてライトアングル型のアダプタを提供することが可能となる。
【００８７】
なお、本実施例では、ねじ２２７をねじ孔１２２に螺入するにより光プラグコネクタ２００を光ソケットコネクタ１００にロックしたが、他の方法によりロックするようにしてよい。
【００８８】
例えば、レバーによりロックを解除できるように構成したラッチ機構を採用することも可能である。さらに、光プラグコネクタにリンク機構を用い、離脱時にレバーによって、リンク機構を操作して、光ソケットコネクタから光プラグコネクタを離脱させるような構造をとることも可能である。
【００８９】
本実施例の光コネクタは、フィジカルコンタクトが不要であるので、挿抜力を低減でき、よって、いずれのロック機構を採用したとしても強度を低減させることができるため、構成を簡略化できる。
【００９０】
なお、本発明は上記実施例に限定されるものではなく、本発明の要旨を逸脱しない範囲において種々の変形例が考えられることは言うまでもない。
【図面の簡単な説明】
【００９１】
【図１】本発明の第１実施例の斜視図である。
【図２】光ソケットコネクタ１００の分解斜視図である。
【図３】導波路アレイ１１１の斜視図である。
【図４】導波路アレイ１１１の構成図である。
【図５】導波路アレイ１１１の回路基板１０１への取付構造を説明するための図である。
【図６】光ソケットコネクタ１００と光プラグコネクタ２００との位置決め構造を説明するための図である。
【図７】光プラグコネクタ２００の分解斜視図である。
【図８】本発明の第２実施例の斜視図である。
【図９】光プラグコネクタ３００の分解斜視図である。
【図１０】導波路アレイ３１１の斜視図である。
【図１１】光プラグコネクタ３００を光ソケットコネクタ１００に装着したときの断面図である。
【図１２】本発明の第３実施例の斜視図である。
【図１３】光コネクタ４００の分解斜視図である。
【図１４】導波路アレイ４１１の斜視図である。
【図１５】光プラグコネクタ４００を光ソケットコネクタ１００に装着したときの断面図である。
【図１６】本発明の第４実施例の断面図である。
【図１７】導波路アレイ５１１の斜視図である。
【符号の説明】
【００９２】
１００  光ソケットコネクタ、２００、３００  光プラグコネクタ
１０１、１０２  回路基板
１１１、３１１  導波路アレイ、１１２  筐体、１１３  ねじ
１２１  ガイド部、１２２  ねじ孔
１３１  導波路本体、１３２  導波路
１４１  溝部、１４２、１４３  レンズ、１４４  樹脂フィルム、１４５  凸部
１４６  鍔部、１４７  孔部、１４８  ピン
１５１  ドライバＩＣ、１５２  発光素子、１５３  受光素子、１５４  レシーバＩＣ
２１０  光ファイバケーブル
２１１  プラグフレーム、２１２  プラグコネクタ
２２１、２２２  フレーム半体、２２３  係合部
２２４、２２７  ねじ、２２６  ねじ保持
【図１】
2008040264.tif 000003
【図２】
2008040264.tif 000004
【図３】
2008040264.tif 000005
【図４】
2008040264.tif 000006
【図５】
2008040264.tif 000007
【図６】
2008040264.tif 000008
【図７】
2008040264.tif 000009
【図８】
2008040264.tif 000010
【図９】
2008040264.tif 000011
【図１０】
2008040264.tif 000012
【図１１】
2008040264.tif 000013
【図１２】
2008040264.tif 000014
【図１３】
2008040264.tif 000015
【図１４】
2008040264.tif 000016
【図１５】
2008040264.tif 000017
【図１６】
2008040264.tif 000018
【図１７】
2008040264.tif 000019